(57)【要約】    【課題】  ＧＰＳ受信機器から撮像端末への無線通信によるＧＰＳ情報の取り込みを可能とし、且つＧＰＳ受信機器と撮像端末との無線通信の接続を容易にして、ユーザの利便性を向上する。    【解決手段】  無線通信機能およびＧＰＳ機能を有するＧＰＳ受信機器と無線通信機能および撮影機能を有する撮像端末との間で、ポイントツーポイントの無線通信を行い、シリアル通信での情報の交換を可能とする。ＧＰＳ機器との接続および接続先を事前にシステムに登録し、撮像端末のシステム起動時にポイントツーポイントの無線通信の接続を自動的に実行する。ポイントツーポイントの無線通信確立後、無線シリアル通信を利用してＧＰＳ受信機器からのＧＰＳ情報を撮像端末で受信する。撮像端末では、受信したＧＰＳ情報をリアルタイムに表示するとともに、撮影時に受信したＧＰＳ情報を自動的に撮影画像に添付する。【選択図】    図９
2006279110.tif 000002
【特許請求の範囲】
【請求項１】
無線通信機能およびＧＰＳ（グローバルポジショニングシステム）機能を有するＧＰＳ受信機器と、無線通信機能および画像撮影機能を有する撮像端末との間で、ポイントツーポイントの無線通信を行って情報を交換し得るシステムにおいて、
前記ＧＰＳ受信機器との接続および接続先を事前にシステムに登録する手段と、
前記撮像端末のシステム起動時に前記ポイントツーポイントの無線通信の接続を自動的に実行する手段と、
前記ポイントツーポイントの無線通信確立後、無線シリアル通信を利用して前記ＧＰＳ受信機器からのＧＰＳ情報を前記撮像端末で受信する手段と、
前記撮像端末で、受信したＧＰＳ情報をリアルタイムに表示する手段と、
前記撮像端末で、撮影時に受信したＧＰＳ情報を自動的に撮影画像に添付する手段と
を有することを特徴とする通信情報転送方式。
【請求項２】
前記ＧＰＳ受信機器と前記撮像端末とのポイントツーポイントの無線通信を切断するとき、前記撮像端末にて、接続先がＧＰＳ受信機器であるとして接続先をシステムに登録する手段と、
前記撮像端末のシステム起動時にシステムに事前に登録された接続先に対して、ポイントツーポイントの無線通信の接続を自動的に実行する手段と
を有することを特徴とする請求項１に記載の通信情報転送方式。
【請求項３】
前記ＧＰＳ受信機器と前記撮像端末とのポイントツーポイントの無線通信が切断された場合に、前記撮像端末にて、接続先がＧＰＳ受信機器であるとして接続先をシステムに登録する手段と、
前記撮像端末のシステムがダウンしていない場合には、所望に応じた再接続時間を経過した後、再びシステムに事前に登録された接続先に対して、ポイントツーポイントの無線通信の接続を自動的に実行する手段と
を有することを特徴とする請求項１に記載の通信情報転送方式。
【請求項４】
事前にシステムに登録されている再接続時間を経過した後、システムに事前に登録された接続先に対して、ポイントツーポイントの無線通信の接続を再び自動的に実行する手段と、
前記再接続時間の時間間隔を表示ユニットにてユーザが選択することを可能とする手段と
を有することを特徴とする請求項３に記載の通信情報転送方式。
【請求項５】
前記ＧＰＳ受信機器と前記撮像端末とのポイントツーポイントの無線通信が切断された場合に、前記撮像端末で受信した最新のＧＰＳ情報をシステムに登録する手段と、
前記撮像端末のシステムがダウンしていない場合には、所望に応じた再接続時間が経過するまで、受信したＧＰＳ情報をリアルタイムに表示する手段と
を有することを特徴とする請求項１に記載の通信情報転送方式。
【請求項６】
事前にシステムに登録されている再接続時間が経過するまで、受信したＧＰＳ情報をリアルタイムに表示する手段と、
ＧＰＳ情報の保持時間を表示ユニットにてユーザが選択することを可能とする手段と
を有することを特徴とする請求項５に記載の通信情報転送方式。
【請求項７】
前記ＧＰＳ受信機器によるＧＰＳ情報から衛星の捕捉状態が判定できるような表示を行う手段と、
前記ＧＰＳ受信機器と前記撮像端末との間でのポイントツーポイントの無線通信の接続状況と電波強度の状態とが判定できるような表示を行う手段と
を有することを特徴とする請求項１に記載の通信情報転送方式。
【発明の詳細な説明】
【技術分野】
【０００１】
本発明は、ディジタルカメラ等の画像撮影機能を有する撮像端末とＰＤＡ（携帯情報端末）、ＰＣ（パーソナルコンピュータ）および携帯電話等を含む情報端末との連係システムに係り、特にこれらとＧＰＳ（グローバルポジショニングシステム）機能を有するＧＰＳ受信機器との連係処理を考慮したシステムにおける通信情報転送方式に関するものである。
【背景技術】
【０００２】
近年、ディジタルカメラ等の画像撮影機能を有する装置に係る撮像システムとして、例えば、特許文献１（特開２０００−１９６９８７号）、特許文献２（特開２００２−１９１０７９号）および特許文献３（特開２００４−３２０２５号）等に示されるように、撮影した画像と一緒に、当該画像に関連する種々の情報を添付記録するシステムが提案されている。このようなシステムにおいては、画像と一緒に添付される情報は、例えば特許文献４（特開２００２−３２０１１５号）等に示されるようにして、無線通信等の通信を介してＰＣ等に転送されて、前記画像情報に係る様々な後処理を行うための情報として利用される。
すなわち、特許文献１には、撮影を行うと画像情報に種々の付加情報を付加して自動的に情報処理装置に送信するＰＤＡが示されている。このＰＤＡにおいては、情報入力手段により入力された音声、温度、気圧、湿度、位置および方角等の付加情報を付加した画像データを無線通信を介してコンピュータに送信するようにしている。特許文献２には、撮像装置が記憶する画像データを通信装置から検索し、検索した画像データを通信装置に表示するとともに撮像した画像データを装置間通信により送信するシステムが示されている。
【０００３】
このシステムでは、記憶される画像データの名称、撮影日時、撮影機種、撮影場所またはデータに関するキーワードを含む情報をデータの属性として画像データと共に記憶しておき、この属性情報を検索情報として用いている。特許文献３には、複数の撮像装置により撮像される画像情報を各々の位置に依存した情報と共に記録装置により同一記録媒体に記録することが示されている。このシステムにおいては、複数の撮像装置のうちの少なくとも一つは、通信手段を介して記録情報を記録装置に送信する。また、特許文献４には、カメラ等の撮像手段の撮像データを近距離無線により近傍の携帯電話等の無線通信手段に送り、この無線通信手段を介して前記撮像データをインターネット上のデータベースに登録するシステムにおいて、撮像手段から無線通信手段への正常な送信が行われているかどうかを、撮像手段のファインダ内に表示することが示されている。
ところで、位置情報としてはＧＰＳによって得られるＧＰＳ情報が広く用いられている。このようなＧＰＳ情報等を撮影位置情報として画像情報に添付する場合には、例えば、ディジタルカメラのカードインタフェース（カードＩ／Ｆ）に、ＧＰＳ機能を有するＧＰＳカードを挿入してＧＰＳ情報をディジタルカメラ内に取り込むようにしたり、あるいはディジタルカメラのシリアルインタフェース（シリアルＩ／Ｆ）を介してディジタルカメラをＧＰＳ受信機器と接続して、ＧＰＳ情報をディジタルカメラ内に取込んだりするようにしていた。
しかしながら、ＧＰＳ受信機器から送信されたＧＰＳ情報を撮像端末が受信して、撮影画像に簡易にＧＰＳ情報を添付できるものはなく、利便性に難があった。
【０００４】
【特許文献１】特開２０００−１９６９８７号公報
【特許文献２】特開２００２−１９１０７９号公報
【特許文献３】特開２００４−３２０２５号公報
【特許文献４】特開２００２−３２０１１５号公報
【発明の開示】
【発明が解決しようとする課題】
【０００５】
本発明は、上述した事情に鑑みてなされたもので、ＧＰＳ受信機器から撮像端末への無線通信によるＧＰＳ情報の取り込みを可能とし、且つＧＰＳ受信機器と撮像端末との無線通信の接続を容易にして、ユーザの利便性を向上することを可能とする通信情報転送方式を提供することを目的としている。
本発明の請求項１の目的は、特に、撮像端末が、無線通信を介してＧＰＳ受信機器からのＧＰＳ情報を取り込むことを可能とし、且つ撮像端末とＧＰＳ受信機器との無線通信の接続を容易にし、利便性を向上せしめることを可能とする通信情報転送方式を提供することにある。
本発明の請求項２の目的は、特に、ＧＰＳ受信機器から無線通信を介して撮像端末がＧＰＳ情報を取り込むための撮像端末とＧＰＳ受信機器との無線通信の接続を容易に且つ確実にすることを可能とする通信情報転送方式を提供することにある。
本発明の請求項３の目的は、特に、無線通信状況が悪い状態でもユーザの煩雑な操作を要することなく、ＧＰＳ受信機器から無線通信を介して撮像端末がＧＰＳ情報を取り込むための撮像端末とＧＰＳ受信機器との無線通信の接続を、容易に且つ確実にすることを可能とする通信情報転送方式を提供することにある。
【０００６】
本発明の請求項４の目的は、特に、無線通信状況が悪い状態でもユーザの煩雑な操作を要することなく、ＧＰＳ受信機器から無線通信を介して撮像端末がＧＰＳ情報を取り込むための撮像端末とＧＰＳ受信機器との無線通信の接続を、容易に、しかも一層確実にすることを可能とする通信情報転送方式を提供することにある。
本発明の請求項５の目的は、特に、ＧＰＳ受信機器から無線通信を介して撮像端末がＧＰＳ情報を取り込むための撮像端末とＧＰＳ受信機器との無線通信の接続を、無線通信状況が悪い状態でもＧＰＳ情報が頻繁に失われることなく、確実に且つ適切にユーザの利便性を向上することを可能とする通信情報転送方式を提供することにある。
本発明の請求項６の目的は、特に、ＧＰＳ受信機器から無線通信を介して撮像端末がＧＰＳ情報を取り込むための撮像端末とＧＰＳ受信機器との無線通信の接続を、無線通信状況が悪い状態でもＧＰＳ情報が頻繁に失われることなく、確実に且つ一層適切にユーザの利便性を向上することを可能とする通信情報転送方式を提供することにある。
本発明の請求項７の目的は、特に、撮像端末におけるＧＰＳ情報の捕捉状況および撮像端末とＧＰＳ受信機器との無線通信の電波状況を容易に且つ確実に把握することを可能とする通信情報転送方式を提供することにある。
【課題を解決するための手段】
【０００７】
請求項１に記載した本発明に係る通信情報転送方式は、上述した目的を達成するために、
無線通信機能およびＧＰＳ機能を有するＧＰＳ受信機器と、無線通信機能および画像撮影機能を有する撮像端末との間で、ポイントツーポイントの無線通信を行って情報を交換し得るシステムにおいて、
前記ＧＰＳ受信機器との接続および接続先を事前にシステムに登録する手段と、
前記撮像端末のシステム起動時に前記ポイントツーポイントの無線通信の接続を自動的に実行する手段と、
前記ポイントツーポイントの無線通信確立後、無線シリアル通信を利用して前記ＧＰＳ受信機器からのＧＰＳ情報を前記撮像端末で受信する手段と、
前記撮像端末で、受信したＧＰＳ情報をリアルタイムに表示する手段と、
前記撮像端末で、撮影時に受信したＧＰＳ情報を自動的に撮影画像に添付する手段と
を有することを特徴としている。
【０００８】
請求項２に記載した本発明に係る通信情報転送方式は、請求項１の通信情報転送方式であって、
前記ＧＰＳ受信機器と前記撮像端末とのポイントツーポイントの無線通信を切断するとき、前記撮像端末にて、接続先がＧＰＳ受信機器であるとして接続先をシステムに登録する手段と、
前記撮像端末のシステム起動時にシステムに事前に登録された接続先に対して、ポイントツーポイントの無線通信の接続を自動的に実行する手段と
を有することを特徴としている。
請求項３に記載した本発明に係る通信情報転送方式は、請求項１の通信情報転送方式であって、
前記ＧＰＳ受信機器と前記撮像端末とのポイントツーポイントの無線通信が切断された場合に、前記撮像端末にて、接続先がＧＰＳ受信機器であるとして接続先をシステムに登録する手段と、
前記撮像端末のシステムがダウンしていない場合には、所望に応じた再接続時間を経過した後、再びシステムに事前に登録された接続先に対して、ポイントツーポイントの無線通信の接続を自動的に実行する手段と
を有することを特徴としている。
【０００９】
請求項４に記載した本発明に係る通信情報転送方式は、請求項３の通信情報転送方式であって、
事前にシステムに登録されている再接続時間を経過した後、システムに事前に登録された接続先に対して、ポイントツーポイントの無線通信の接続を再び自動的に実行する手段と、
前記再接続時間の時間間隔を表示ユニットにてユーザが選択することを可能とする手段と
を有することを特徴としている。
請求項５に記載した本発明に係る通信情報転送方式は、請求項１の通信情報転送方式であって、
前記ＧＰＳ受信機器と前記撮像端末とのポイントツーポイントの無線通信が切断された場合に、前記撮像端末で受信した最新のＧＰＳ情報をシステムに登録する手段と、
前記撮像端末のシステムがダウンしていない場合には、所望に応じた再接続時間が経過するまで、受信したＧＰＳ情報をリアルタイムに表示する手段と
を有することを特徴としている。
【００１０】
請求項６に記載した本発明に係る通信情報転送方式は、請求項５の通信情報転送方式であって、
事前にシステムに登録されている再接続時間が経過するまで、受信したＧＰＳ情報をリアルタイムに表示する手段と、
ＧＰＳ情報の保持時間を表示ユニットにてユーザが選択することを可能とする手段と
を有することを特徴としている。
請求項７に記載した本発明に係る通信情報転送方式は、請求項１の通信情報転送方式であって、
前記ＧＰＳ受信機器によるＧＰＳ情報から衛星の捕捉状態が判定できるような表示を行う手段と、
前記ＧＰＳ受信機器と前記撮像端末との間でのポイントツーポイントの無線通信の接続状況と電波強度の状態とが判定できるような表示を行う手段と
を有することを特徴としている。
【発明の効果】
【００１１】
本発明によれば、ＧＰＳ受信機器から撮像端末への無線通信によるＧＰＳ情報の取り込みを可能とし、且つＧＰＳ受信機器と撮像端末との無線通信の接続を容易にして、ユーザの利便性を向上することを可能とする通信情報転送方式を提供することができる。
すなわち本発明の請求項１の通信情報転送方式によれば、
無線通信機能およびＧＰＳ機能を有するＧＰＳ受信機器と、無線通信機能および画像撮影機能を有する撮像端末との間で、ポイントツーポイントの無線通信を行って情報を交換し得るシステムにおいて、
前記ＧＰＳ受信機器との接続および接続先を事前にシステムに登録する手段と、
前記撮像端末のシステム起動時に前記ポイントツーポイントの無線通信の接続を自動的に実行する手段と、
前記ポイントツーポイントの無線通信確立後、無線シリアル通信を利用して前記ＧＰＳ受信機器からのＧＰＳ情報を前記撮像端末で受信する手段と、
前記撮像端末で、受信したＧＰＳ情報をリアルタイムに表示する手段と、
前記撮像端末で、撮影時に受信したＧＰＳ情報を自動的に撮影画像に添付する手段と
を有することにより、特に、撮像端末が、無線通信を介してＧＰＳ受信機器からのＧＰＳ情報を取り込むことが可能となり、且つ撮像端末とＧＰＳ受信機器との無線通信の接続を容易にし、利便性の向上を図ることが可能となる。
【００１２】
また、本発明の請求項２の通信情報転送方式によれば、請求項１の通信情報転送方式において、
前記ＧＰＳ受信機器と前記撮像端末とのポイントツーポイントの無線通信を切断するとき、前記撮像端末にて、接続先がＧＰＳ受信機器であるとして接続先をシステムに登録する手段と、
前記撮像端末のシステム起動時にシステムに事前に登録された接続先に対して、ポイントツーポイントの無線通信の接続を自動的に実行する手段と
を有することにより、特に、ＧＰＳ受信機器から無線通信を介して撮像端末がＧＰＳ情報を取り込むための撮像端末とＧＰＳ受信機器との無線通信の接続を容易に且つ確実にすることが可能となる。
本発明の請求項３の通信情報転送方式によれば、請求項１の通信情報転送方式において、
前記ＧＰＳ受信機器と前記撮像端末とのポイントツーポイントの無線通信が切断された場合に、前記撮像端末にて、接続先がＧＰＳ受信機器であるとして接続先をシステムに登録する手段と、
前記撮像端末のシステムがダウンしていない場合には、所望に応じた再接続時間を経過した後、再びシステムに事前に登録された接続先に対して、ポイントツーポイントの無線通信の接続を自動的に実行する手段と
を有することにより、特に、無線通信状況が悪い状態でもユーザの煩雑な操作を要することなく、ＧＰＳ受信機器から無線通信を介して撮像端末がＧＰＳ情報を取り込むための撮像端末とＧＰＳ受信機器との無線通信の接続を、容易に且つ確実にすることが可能となる。
【００１３】
本発明の請求項４の通信情報転送方式によれば、請求項３の通信情報転送方式において、
事前にシステムに登録されている再接続時間を経過した後、システムに事前に登録された接続先に対して、ポイントツーポイントの無線通信の接続を再び自動的に実行する手段と、
前記再接続時間の時間間隔を表示ユニットにてユーザが選択することを可能とする手段と
を有することにより、特に、無線通信状況が悪い状態でもユーザの煩雑な操作を要することなく、ＧＰＳ受信機器から無線通信を介して撮像端末がＧＰＳ情報を取り込むための撮像端末とＧＰＳ受信機器との無線通信の接続を、容易に、しかも一層確実にすることが可能となる。
本発明の請求項５の通信情報転送方式によれば、請求項１の通信情報転送方式において、
前記ＧＰＳ受信機器と前記撮像端末とのポイントツーポイントの無線通信が切断された場合に、前記撮像端末で受信した最新のＧＰＳ情報をシステムに登録する手段と、
前記撮像端末のシステムがダウンしていない場合には、所望に応じた再接続時間が経過するまで、受信したＧＰＳ情報をリアルタイムに表示する手段と
を有することにより、特に、ＧＰＳ受信機器から無線通信を介して撮像端末がＧＰＳ情報を取り込むための撮像端末とＧＰＳ受信機器との無線通信の接続を、無線通信状況が悪い状態でもＧＰＳ情報が頻繁に失われることなく、確実に且つ適切にユーザの利便性を向上することが可能となる。
【００１４】
本発明の請求項６の通信情報転送方式によれば、請求項５の通信情報転送方式において、
事前にシステムに登録されている再接続時間が経過するまで、受信したＧＰＳ情報をリアルタイムに表示する手段と、
ＧＰＳ情報の保持時間を表示ユニットにてユーザが選択することを可能とする手段と
を有することにより、特に、ＧＰＳ受信機器から無線通信を介して撮像端末がＧＰＳ情報を取り込むための撮像端末とＧＰＳ受信機器との無線通信の接続を、無線通信状況が悪い状態でもＧＰＳ情報が頻繁に失われることなく、確実に且つ一層適切にユーザの利便性を向上することが可能となる。
本発明の請求項７の通信情報転送方式によれば、請求項１の通信情報転送方式において、
前記ＧＰＳ受信機器によるＧＰＳ情報から衛星の捕捉状態が判定できるような表示を行う手段と、
前記ＧＰＳ受信機器と前記撮像端末との間でのポイントツーポイントの無線通信の接続状況と電波強度の状態とが判定できるような表示を行う手段と
を有することにより、特に、撮像端末におけるＧＰＳ情報の捕捉状況および撮像端末とＧＰＳ受信機器との無線通信の電波状況を容易に且つ瞬時に把握することが可能となる。
【発明を実施するための最良の形態】
【００１５】
以下、本発明の実施の形態に基づき、図面を参照して本発明の通信情報転送方式を詳細に説明する。
図１〜図４は、本発明の通信情報転送方式の一つの実施の形態に係る撮像端末の一例としてのディジタルカメラの構成を示している。図１は、ディジタルカメラの全体の構成を模式的に示す上面図、図２は、図１のディジタルカメラを被写体側から見た正面図、図３は、図１および図２のディジタルカメラを撮影者側から見た背面図、そして図４は、図１〜図３のディジタルカメラのシステム構成を示すブロック図である。
図１〜図３に示すディジタルカメラ１は、カメラボディ２の被写体に面する正面側に、鏡胴ユニット３、ストロボ発光部４、測距ユニット５、光学ファインダ６およびリモコン（リモートコントロール）受光部７を具備し、カメラボディ２の上面部に、レリーズボタン９、モードダイヤル１０およびサブＬＣＤ（液晶表示部）１１を具備し、カメラボディ２の通常は撮影者に面する背面側には、ＬＣＤモニタ１３、ＡＦ（オートフォーカス）−ＬＥＤ（発光ダイオード）１４、ストロボＬＥＤ１５、電源スイッチ１６、操作ボタンユニット１７およびズームボタン１８を具備し、そしてカメラボディ２の一方の側面部にはカードスロット２２を具備している。操作部１９は、レリーズボタン９、モードダイヤル１０、電源スイッチ１６、操作ボタンユニット１７およびズームボタン１８により構成され、記録媒体としてのメモリカードのような外部拡張メモリカード、あるいはＬＡＮカード、無線ＬＡＮカードまたはブルートゥース（Bluetooth）カードのようなインタフェースカード等の外部拡張カード２１（図１〜図３には示されていない）は、カードスロット２２に装着格納され、電源電池（図示されていない）は、電池装填部（明確には図示されていない）に装填される。
【００１６】
すなわち、ディジタルカメラ１のカメラボディ２の正面側の中央近傍には、被写体撮影光を入射結像させる撮影光学系を備える鏡胴ユニット３が設けられ、鏡胴ユニット３の上方には、被写体に照射すべくストロボ照明光を発光するストロボ発光部４と、オートフォーカス（ＡＦ）の際に被写体との距離を測定するための測距ユニット５と、ユーザが目視によって撮影範囲等を確認するための光学ファインダ６とが設けられている。また、光学ファインダ６の下方には、ユーザにより操作される図示されていないリーモートコントローラ（リモコン送信機）からのリモートコントロール用の光信号を受光するリモコン受光部７が設けられている。ディジタルカメラ１のカメラボディ２の上面部には、撮影を指令するためのレリーズボタン９と、撮影モードを切り換えるためのモードダイヤル１０と、撮影枚数または撮影可能枚数等を表示するサブＬＣＤ１１とが設けられている。
また、ディジタルカメラ１のカメラボディ２の背面側には、撮影画像等を表示するＬＣＤモニタ１３と、撮影時のＡＦの合焦／非合焦等のフォーカシング状態を示すＡＦ−ＬＥＤ１４と、ストロボの電源コンデンサの充電状態を示すストロボＬＥＤ１５と、電源のオン／オフを切り換えるための電源スイッチ１６と、動作指示や各種設定等を外部から行うための操作ボタンユニット１７と、ズーミング操作を行うためのズームボタン１８とが設けられている。
【００１７】
ＡＦ−ＬＥＤ１４およびストロボＬＥＤ１５は、システムの動作モード等によっては、ＡＦおよびストロボ以外の表示用途、例えば外部拡張カード２１（図４参照）がアクセス中であることを示す表示などの表示用途にも流用される。なお、レリーズボタン９、モードダイヤル１０、電源スイッチ１６、操作ボタンユニット１７およびズームボタン１８を一括して操作部１９と総称する。さらに、ディジタルカメラ１のカメラボディ２の側面部には上述した外部拡張カード２１（図４参照）が、取り外し可能に装着されるカードスロット２２が設けられている。
図４は、図１〜図３に示したディジタルカメラ１のシステムの概略構成を示している。図４に示すディジタルカメラ１は、図１〜図３に関連して触れた鏡胴ユニット３、ストロボ発光部４、測距ユニット５、リモコン受光部７、サブＬＣＤ１１、ＬＣＤモニタ１３、ＡＦ−ＬＥＤ１４、ストロボＬＥＤ１５、操作部１９およびカードスロット２２を具備している。操作部１９は、レリーズボタン９、モードダイヤル１０、電源スイッチ１６、操作ボタンユニット１７およびズームボタン１８を含み、記録媒体としてのメモリカード等の外部拡張カード２１は、外部拡張カードインタフェースであるカードスロット２２に装着格納され、図示されていないが、電源電池は電池装填部に装填される。
【００１８】
さらに、図４に示すディジタルカメラ１は、ズームレンズ３０、ズーム駆動モータ３１、フォーカスレンズ３３、フォーカス駆動モータ３４、絞り３６、絞りモータ３７、メカニカルシャッタ（メカシャッタ）３９、メカシャッタモータ４０、モータドライバ４２、ＣＣＤ（電荷結合素子）固体撮像素子４５、Ｆ／Ｅ（フロントエンド）−ＩＣ（集積回路）４６、ディジタルスティルカメラプロセッサ５０、ＲＯＭ（リードオンリメモリ）６５、ＲＡＭ（ランダムアクセスメモリ）６６、ＳＤＲＡＭ（シンクロナスダイナミックＲＡＭ）６７、内蔵メモリ６８、ＬＣＤドライバ６９、ビデオアンプ（ビデオ増幅器）７０、ビデオジャック７１、ＵＳＢ（Ｕｎｉｖｅｒｓａｌ  Ｓｅｒｉａｌ  Ｂｕｓ）コネクタ７２、シリアルドライバ回路７３、ＲＳ−２３２Ｃコネクタ７４、サブＣＰＵ（中央処理部）７５、ブザー７６、サブＬＣＤドライバ７７、マイク（マイクロフォン）７９、マイクアンプ（マイク増幅器）８０、音声記録回路８１、スピーカ８３、音声再生回路８４、オーディオアンプ８５、ブルートゥース回路８６およびストロボ回路９１を具備している。ズームレンズ３０およびズーム駆動モータ３１は、ズーム光学系３２を構成し、フォーカスレンズ３３およびフォーカス駆動モータ３４は、フォーカス光学系３５を構成し、絞り３６および絞りモータ３７は絞りユニット３８を構成し、そしてメカシャッタ３９およびメカシャッタモータ４０は、メカシャッタユニット４１を構成している。
【００１９】
Ｆ／Ｅ−ＩＣ４６は、ＣＤＳ（Ｃｏｒｒｅｌａｔｅｄ  Ｄｏｕｂｌｅ  Ｓａｍｐｌｉｎｇ〜相関二重サンプリング）部４７、ＡＧＣ（Ａｕｔｏ  Ｇａｉｎ  Ｃｏｎｔｒｏｌｌｅｒ〜自動利得制御器）４８、Ａ／Ｄ（アナログ−ディジタル）変換器４９およびＴＧ（Ｔｉｍｉｎｇ  Ｇｅｎｅｒａｔｏｒ〜タイミング発生器）５２を有している。ディジタルスティルカメラプロセッサ５０は、第１のＣＣＤ信号処理ブロック５１、第２のＣＣＤ信号処理ブロック５３、ＣＰＵ（中央処理部）ブロック５４、ローカルＳＲＡＭ（スタティックＲＡＭ）５５、ＵＳＢブロック５６、シリアルブロック５７、ＪＰＥＧ−ＣＯＤＥＣブロック５８、リサイズブロック５９、ＴＶ（テレビジョン）信号表示ブロック６０およびカードコントローラブロック６１を備えている。
すなわち、図４において、鏡胴ユニット３は、被写体の光学画像を取り込む被駆動部材としてのズームレンズ３０および該ズームレンズ３０を駆動する駆動源モータとしてのズーム駆動モータ３１を備えたズーム光学系３２と、フォーカスレンズ３３およびフォーカス駆動モータ３４を備えたフォーカス光学系３５と、絞り３６および絞りモータ３７を備えた絞りユニット３８と、メカシャッタ３９およびメカシャッタモータ４０を備えたメカシャッタユニット４１と、これらズーム駆動モータ３１、フォーカス駆動モータ３４、絞りモータ３７およびメカシャッタモータ４０等の直流モータを駆動するモータドライバ４２とを設けて構成されている。
【００２０】
そして、モータドライバ４２は、リモコン受光部７の入力や操作部１９の操作入力に基づいて、後述するディジタルスチルカメラプロセッサ５０内にあるＣＰＵブロック５４からの駆動指令によって駆動制御される。
ＲＯＭ６５には、ＣＰＵブロック５４にて解読可能なコードで記述された、制御プログラムや制御するためのパラメータが格納されている。電源スイッチ１６が操作されて、ディジタルカメラ１の電源がオン状態になると、ＲＯＭ６５に格納された制御プログラムが、図示されていないメインメモリにロードされ、ＣＰＵブロック５４はその制御プログラムに従ってディジタルカメラ１の各部の動作を制御するとともに、制御に必要なデータを一時的にＲＡＭ６６およびローカルＳＲＡＭ５５に保存する。なお、ここで説明する実施の形態では、ＲＯＭ６５には書き換え可能なフラッシュＲＯＭを用いている。フラッシュＲＯＭのように書き換え可能な不揮発性メモリを使用することで、制御プログラムや制御に必要なパラメータ等を変更することが可能となり、機能のバージョンアップ等を容易に行うことができる。
【００２１】
ＣＣＤ固体撮像素子４５は、鏡胴ユニット３で取り込まれ結像された光学画像情報を電気信号からなるアナログ画像信号に変換する。また、Ｆ／Ｅ−ＩＣ４６は、画像ノイズを除去するために相関二重サンプリングを行うＣＤＳ部４７と、利得調整を行うＡＧＣ部４８と、画像信号のディジタル信号への変換を行うＡ／Ｄ変換器４９と、ディジタルスティルカメラプロセッサ５０の第１のＣＣＤ信号処理ブロック５１から垂直同期信号（ＶＤ信号）および水平同期信号（ＨＤ信号）を受けて駆動タイミング信号を生成するＴＧ５２とを備えている。
制御手段であるディジタルスティルカメラプロセッサ５０は、ＣＣＤ固体撮像素子４５からＦ／Ｅ−ＩＣ４６を経由して入力されたディジタル画像データに対するホワイトバランス調整設定やガンマ調整設定を行うとともに上述したようにＶＤ信号およびＨＤ信号を出力する第１のＣＣＤ信号処理ブロック５１と、フィルタリング処理により輝度データ・色差データへの変換を行う第２のＣＣＤ信号処理ブロック５３と、リモコン受光部７や操作部１９から入力される信号に基づき、ＲＯＭ６５に格納された制御プログラムに従って、モータドライバ４２やＣＣＤ固体撮像素子４５等のような当該ディジタルカメラ１の各部の動作を制御するＣＰＵブロック５４と、このＣＰＵブロック５４の制御に必要なデータ等を一時的に保存するローカルＳＲＡＭ５５と、ＰＣ（パーソナルコンピュータ）等の外部機器とＵＳＢインタフェースを用いて通信するためのＵＳＢブロック５６と、ＰＣ等の外部機器とシリアル通信を行うためのシリアルブロック５７と、ＪＰＥＧ方式による圧縮・伸張を行うＪＰＥＧ−ＣＯＤＥＣブロック５８と、画像データのサイズを補間処理により拡大／縮小するリサイズブロック５９と、画像データをＬＣＤモニタ１３やＴＶ等の外部表示機器に表示するためのビデオ信号を生成するＴＶ信号表示ブロック６０と、撮影された画像データを記録するメモリカード等の外部拡張カード２１の制御を行うカードコントローラブロック６１とを備えている。
【００２２】
なお、ＲＯＭ６５には、ＣＰＵブロック５４において解読し且つ実行することが可能なコードで記述された制御プログラムや該ＣＰＵブロック５４の制御に必要なデータ等が格納される。
ＳＤＲＡＭ６７は、ディジタルスティルカメラプロセッサ５０によって各種の処理が施される際にその過程および結果における画像データを一時的に保存する。保存される画像データは、例えば、ＣＣＤ固体撮像素子４５からＦ／Ｅ−ＩＣ４６を経由して取り込まれ第１のＣＣＤ信号処理ブロック５１でホワイトバランス設定およびガンマ設定が行われた状態の「ＲＡＷ−ＲＧＢ画像データ」、第２のＣＣＤ信号処理ブロック５３で輝度データ・色差データへの変換が行われた状態の「ＹＵＶ画像データ」およびＪＰＥＧ−ＣＯＤＥＣブロック５８でＪＰＥＧ圧縮等が行われた状態の「ＪＰＥＧ画像データ」等である。
カードスロット２２は、メモリカード等の外部拡張カード２１を着脱可能に装着するためのスロットである。カードスロット２２には、外部拡張メモリカード以外に、着脱可能なＬＡＮカード、無線ＬＡＮカード、またはブルートゥースカードなどのインタフェースカードも装着することが可能である。撮影された画像は、このようなインタフェースカードを経由して外部機器に転送することも可能である。
【００２３】
ブルートゥース回路８６は、外部機器とブルートゥース規格に従った無線通信を行うための無線通信回路で、撮影された画像は、このブルートゥース回路８６経由で外部機器に転送することも可能である。
また、内蔵メモリ６８は、例えばカードスロット２２に外部拡張カード２１としてメモリカード等の外部拡張メモリカードが装着されていない場合等に、撮影した画像データを記憶するために設けられており、外部拡張メモリカードが装着されていない場合にも、撮影した画像データを、この内蔵メモリ６８によって記憶することができるようになっている。
ＬＣＤドライバ６９は、ＬＣＤモニタ１３を駆動するとともに、ＴＶ信号表示ブロック６０から出力されたビデオ信号をＬＣＤモニタ１３に表示するための信号に変換する。このようにすることによって、ＬＣＤモニタ１３では、ユーザが撮影前に被写体の状態を監視したり、撮影した画像を確認したり、外部拡張カード２１や内蔵メモリ６８に記録された画像データを見て確認したり鑑賞したりすることができる。
【００２４】
ビデオアンプ７０は、ＴＶ信号表示ブロック６０から出力されたビデオ信号を、例えばインピーダンス７５Ωのビデオ信号にインピーダンス変換するアンプであり、ビデオジャック７１は、ビデオ信号を表示し得るＴＶ等の外部表示機器に接続するためのジャックである。ＵＳＢコネクタ７２は、ＰＣ等の外部機器との間でＵＳＢによる通信を行うために、そのような外部機器にＵＳＢ接続するためのコネクタである。シリアルドライバ回路７３はＰＣ等の外部機器との間でシリアル通信を行うためにシリアルブロック５７の出力信号電圧を変換する回路であり、ＲＳ−２３２Ｃコネクタ７４は、ＰＣ等の外部機器とシリアル接続を行うためのコネクタである。
サブＣＰＵ７５は、例えばＲＯＭやＲＡＭ等を含んでワンチップに内蔵したマイクロプロセッサ等からなるＣＰＵであり、リモコン受光部７や操作部１９からの出力信号をユーザの操作情報としてＣＰＵブロック５４に出力するとともに、このＣＰＵブロック５４から出力されたディジタルカメラ１の状態に応じた制御情報をサブＬＣＤ１１、ＡＦ−ＬＥＤ１４、ストロボＬＥＤ１５およびブザー７６等に対する制御信号に変換して出力する。サブＬＣＤ１１は、例えば撮影可能枚数等を表示するための表示部であり、サブＬＣＤドライバ７７は、サブＣＰＵ７５からの出力信号に基づいてサブＬＣＤ１１を駆動するドライブ回路である。
音声記録ユニットは、ユーザが音声信号を入力するマイク７９と、入力された音声信号を増幅するマイクアンプ８０と、増幅された音声信号を記録する音声記録回路８１とを備えている。また、音声再生ユニットは、記録された音声信号をスピーカ８３から出力するための信号に変換する音声再生回路８４と、変換された音声信号を増幅してスピーカ８３を駆動するためのオーディオアンプ８５と、増幅された音声信号を音響出力するスピーカ８３とを備えている。
〔ＰＤＡ〕
図５は、本発明の通信情報転送方式の一つの実施の形態に係る撮像端末の他の一例としてのＰＤＡの構成を模式的に示すブロック図である。図５を参照してＰＤＡについて説明する。
図５に示したＰＤＡは、システムバス１０１と、ＣＰＵ１０２と、プログラムを格納するＰＲＯＭ１０３と、プログラムやデータのワーク領域となるＲＡＭ１０４と、撮影された画像ファイルや、システムファイルや、データファイル等を格納する内蔵メモリ１０５と、ハードウェアキー（ハードキー）を１０７の操作を検出するキーインタフェース（キーＩ／Ｆ）制御部１０６と、シャッタやズームキーなどのハードウェアキー１０７と、カメラ部１０９と、カメラ部１０９を制御するカメラ制御部１０８と、カメラ制御部１０８から取り込まれた画像をＪＰＥＧ規格に従ってエンコードしたり、メモリに格納されているＪＰＥＧデータをデコードしたりする画像圧縮伸張制御部１１２と、カメラ制御部１０８からの画像データや、画像圧縮伸張制御部１１２からの画像データをＬＣＤ部１１１に映像信号として出力したりする画像制御部１１０と、ＵＳＢインタフェース（ＵＳＢ  Ｉ／Ｆ）制御部１１３と、プリンタ１２１と接続するＵＳＢケーブル１１４と、ＣＦ〔コンパクトフラッシュ（登録商標）〕制御部１１５と、ＣＦインタフェース（ＣＦ  Ｉ／Ｆ）１１６と、ＣＦインタフェース１１６に挿入される通信カード１１７と、ＳＤカード制御部１１８と、ＳＤカードインタフェース（ＳＤカードＩ／Ｆ）１１９と、ＳＤカードインタフェース１１９に挿入されるＳＤカード２０と、ＵＳＢケーブル１１４または通信カード１１７経由でこのＰＤＡと接続されるプリンタ１２１と、マイク（マイクロフォン）１２３と、マイクロフォン１２３からのアナログ音声信号をディジタル変換するＡ／Ｄ変換部１２２とを具備して構成している。
【００２５】
通常の撮影は、次のような順序に従って行われる。ハードウェアキー１０７の操作で撮影開始を認識する。カメラ部１０９で画像を取込む。カメラ部１０９から出力される画像信号を、画像制御部１１０が、ＲＧＢデータやＹｃｂＣｒデータ等のフレームデータに変換して必要な画像処理を行った後、その画像データをＲＡＭ１０４に転送する。転送された画像データは画像圧縮伸長制御部１１２で、例えばＪＰＥＧ等の画像データに圧縮エンコードされて、再びＲＡＭ１０４に転送される。ＲＡＭ１０４に格納されたＪＰＥＧ等の画像データは、必要なヘッダ処理を行った後、内蔵メモリ１０５もしくはＳＤカード制御部１１８を介してＳＤカード１２０に記録される。
図５の構成を図４に示した構成と比較すると、カメラ部１０９が鏡胴ユニット３に、カメラ制御部１０８が、ＣＣＤ固体撮像素子４５を含むＦ／Ｅ−ＩＣ４６に、そして画像制御部１１０が、第１のＣＣＤ信号処理ブロック５１と第２のＣＣＤ信号処理ブロック５３にそれぞれ対応する。図５のＰＤＡのカメラ機能の部分は、図４のディジタルカメラ１よりも性能面では劣る場合もあるが、基本的な機能は同様である。本発明は、ディジタルカメラでも、ＰＤＡでも、基本的なカメラ機能が実装されていれば実現可能である。
【００２６】
〔ＧＰＳ機能〕
通常のＧＰＳ機能は、図４のメモリカードスロット２２にＧＰＳカードを装着して、そのＧＰＳカードからＧＰＳ情報をシステム内に取込む。本発明に係る通信情報転送方式においては、ＧＰＳ機能は、図４のメモリカードスロット２２に装着されたブルートゥースカードを経由して、外部のＧＰＳ受信機器と無線通信で接続され、ＧＰＳ情報をシステム内に取込む。あるいは、図４のブルートゥース回路８６を経由して外部のＧＰＳ受信機器と無線通信で接続され、ＧＰＳ情報をシステム内に取込むこともできる。
【００２７】
図６にこの実施の形態における本発明に係るＧＰＳ情報のＯＳＤ（オンスクリーンディスプレイ）サンプルを示している。標準ディスプレイモードでは、例えば、衛星の捕捉状況を示すアイコン情報（％）と、緯度、経度を示す情報（Ｅ：１３５、Ｎ：０３４）と、捕捉衛星数および可視衛星数を示す情報（ｘ４（７））と、測位次元を示す（３ｄ）と、測位品質を示す（ｄｉｆｆ）とが表示される。ＧＰＳディスプレイモードでは、例えば、衛星の捕捉状況を示すアイコン情報（％）と、緯度、経度を示す情報（Ｅ：１３５′１２′３４，１″、Ｎ：０３４′１２′３４，１″）と、捕捉衛星数および可視衛星数を示す情報（ｘ４（７））と、測位次元を示す（３ｄ）と、測位品質を示す（ｄｉｆｆ）とが表示される。
図７に、この実施の形態における本発明に係る電波強度のＯＳＤサンプルを示している。例えば、通信の接続状況を示す（接続中）と、電波の強度を示す（ＬＥＶＥＬ０２）とが表示される。図示のように、電波強度の表示時には、ＧＰＳ情報の表示も同時に表示される。
【００２８】
〔プロトコルスタック〕
図４に示したディジタルカメラは、メモリカードスロット２２に装着されたブルートゥースカードを使用するか、もしくは、ブルートゥース回路８６を経由して、ブルートゥース通信を実現する。
図８に、この実施の形態における本発明に係るブルートゥースプロトコルスタック構造を示している。
機器側のブルートゥースプロトコルスタックは、ハードウエアを直接制御するＨＷデバイスドライバと、ホストとホストコントローラとの通信を制御するＨＣＩ（ホストコントローラインタフェース）と、論理チャネルの設定および、レイヤパケットの分割、組み立てを行うＬ２ＣＡＰ（論理リンク制御および適応化プロトコル）と、ブルートゥース無線通信のプロトコルをＲＳ２３２Ｃ等のインタフェースに変換するＲＦＣＯＭＭと、データ（オブジェクト）の送信／受信を行うＯＢＥＸ（オブジェクト交換）と、ブルートゥース機器のサービスを検索するＳＤＰ（サービス検索プロトコル）と、ダイヤルアップ通信を実現するＤＵＮ（ダイヤルアップネットワーク）と、画像の送信／受信を行うＢＩＰ（基本イメージプロトコル）と、シリアル通信を実現するＳＰＰ（シリアルポートプロファイル）と、ＢＩＰを制御して画像の送信／受信を実現するＢＩＰアプリケーションと、ＯＢＥＸを制御してファイル送信／受信を実現するＯＰＰアプリケーションと、ＤＵＮを制御してダイヤルアップ通信を実現するネットワークアプリケーションと、ＳＰＰを制御してシリアル通信を実現するＳＰＰアプリケーションと、ＳＤＰを制御してブルートゥース機器の検索を行うＳＤＰアプリケーションとから構成されている。
このような機器側のブルートゥースプロトコルスタックにＣＦカードインタフェース（Ｉ／Ｆ）を介して結合されたブルートゥースカードは、ホストとホストコントローラーとの通信を制御するＨＣＩファームウェアと、ブルートゥース機器間の接続の確立を制御するリンクマネージャファームウェアと、物理的な無線部分とブルートゥースを接続するベースバンドコントローラとから構成されている。
【００２９】
〔ＳＰＰプロトコル〕
図９に、この実施の形態における本発明に係るブルートゥースＳＰＰプロトコルシーケンスを示している。ＳＰＰプロトコルは、ブルートゥースのシリアル通信機能を提供する。撮像端末は、ＧＰＳ受信機器に対して、ブルートゥースＳＰＰの接続を要求する。接続はＧＰＳ受信機器側から実行しても良い。撮像端末とＧＰＳ受信機器との間で、ブルートゥースＳＰＰ接続が確立した後は、ＧＰＳ受信機器から撮像端末へＧＰＳ情報が送信される。受信されたＧＰＳ情報は、撮像端末で例えば、図６に示したような、標準ディスプレイモードでは、衛星の捕捉状況を示すアイコン情報（％）と、緯度、経度を示す情報（Ｅ：１３５、Ｎ：０３４）と、捕捉衛星数と、可視衛星数を示す情報（ｘ４（７））と、測位次元を示す（３ｄ）と、測位品質を示す（ｄｉｆｆ）とが表示される。ユーザがブルートゥースＳＰＰプロトコルの切断を要求し、または電源をオフとした場合は、撮像端末は、ＧＰＳ受信機器に対して、ブルートゥースＳＰＰの切断を要求する。切断はＧＰＳ受信機器側から実行しても良い。
【００３０】
図１０に、この実施の形態における本発明に係るデータフォーマットを示している。図１０のデータフォーマットは、図９のブルートゥースＳＰＰプロトコルシーケンスで使用される。ＧＰＳ情報のデータフォーマットは、例えば、ＮＭＥＡ形式などの規格があり、アスキーコードの文字列形式のフォーマットとなっている。ＧＰＳ受信機器は、図１０に示したデータフォーマットに従ってデータを送信し、撮像端末は、図１０に示したデータフォーマットに従って図６に示したようにＧＰＳデータを表示する。
図１１にこの実施の形態における本発明に係るブルートゥースＳＰＰプロトコルの再接続シーケンスを示している。ＳＰＰプロトコルは、ブルートゥースのシリアル通信機能を提供する。撮像端末は、ＧＰＳ受信機器に対して、ブルートゥースＳＰＰの接続を要求する。接続はＧＰＳ受信機器側から実行してもかまわない。撮像端末とＧＰＳ受信機器の間で、ブルートゥースＳＰＰ接続が確立した後は、ＧＰＳ受信機器から撮像端末へＧＰＳ情報が送信される。
【００３１】
受信されたＧＰＳ情報は、撮像端末で、例えば図６に示したような標準ディスプレイモードでは、衛星の捕捉状況を示すアイコン情報（％）と、緯度、経度を示す情報（Ｅ：１３５、Ｎ：０３４）と、捕捉衛星数と、可視衛星数を示す情報（ｘ４（７））と、測位次元を示す（３ｄ）と、測位品質を示す（ｄｉｆｆ）とが表示される。ユーザがブルートゥースＳＰＰプロトコルの切断を要求しない状態で、例えば、電波状況が悪くてブルートゥースＳＰＰが切断された場合には、予め所望に応じて設定された時間の経過後、再び撮像端末は、ＧＰＳ受信機器に対して、ブルートゥースＳＰＰの接続を要求する。撮像端末とＧＰＳ受信機器との間で、ブルートゥースＳＰＰ接続が確立した後は、ＧＰＳ受信機器から撮像端末へＧＰＳ情報が送信される。その後、ユーザがブルートゥースＳＰＰプロトコルの切断を要求し、または電源をオフとした場合には、撮像端末は、ＧＰＳ受信機器に対して、ブルートゥースＳＰＰの切断を要求する。
【００３２】
〔１〕（請求項１に対応する構成）
無線通信機能を有するＧＰＳ受信機器と、図１〜図３に示したような外観で、図４または図５に示したようなシステム構成を持つ無線通信機能と撮影機能を有する撮像端末との間で、図８に示したようなプロトコルスタックを実装し、ＳＰＰアプリケーションと、ＳＰＰを使用して、ポイントツーポイントの無線通信を行い、シリアル通信での情報の交換が可能なシステムを実現する（〔プロトコルスタック〕を参照されたい）。
そして、ＧＰＳ機器との接続および接続先を事前にシステムに登録する。撮像端末のシステム起動時にポイントツーポイントの無線通信の接続を自動的に実行する。ポイントツーポイントの無線通信確立後、無線シリアル通信を利用してＧＰＳ受信機器からのＧＰＳ情報を撮像端末で受信する（〔ＳＰＰプロトコル〕を参照されたい）。
撮像端末では、受信したＧＰＳ情報をリアルタイムに表示するとともに、撮影時に受信したＧＰＳ情報を自動的に撮影画像に添付する（〔ＧＰＳ機能〕を参照されたい）。
以上の機能を実装することによって、撮像端末において、無線通信でＧＰＳ受信機器からのＧＰＳ情報を取り込むことを可能にし、また、ＧＰＳ受信機器との無線通信の接続を容易にすることによって、ユーザの利便性の向上を可能としている。
【００３３】
〔２〕（請求項２に対応する構成）
上述した〔１〕（請求項１に対応する構成）のＳＰＰプロトコルの説明において、ＧＰＳ受信機器と、撮像端末のポイントツーポイントの無線通信を切断する時（図９のパワーオフ時）、撮像端末で、接続先がＧＰＳ受信機器であるとして接続先をシステムに登録する。撮像端末のシステム起動時（図９のパワーオン時）にシステムに事前に登録された接続先に対して、ポイントツーポイントの無線通信の接続を自動的に実行する。以上の機能を実装することによって、撮像端末で、無線通信でのＧＰＳ受信機器からのＧＰＳ情報の取り込みを可能にし、また、ＧＰＳ受信機器との無線通信の接続を容易にすることによって、ユーザの利便性の向上を可能としている。
【００３４】
〔３〕（請求項３に対応する構成）
上述した〔１〕（請求項１に対応する構成）において、ＧＰＳ受信機器と、撮像端末のポイントツーポイントの無線通信が切断された場合、撮像端末で接続先がＧＰＳ受信機器として接続先をシステムに登録する。撮像端末のシステムがダウンしていない場合は、任意の時間経過後、再びシステムに事前に登録された接続先に対して、ポイントツーポイントの無線通信の接続を自動的に実行する（〔ＳＰＰプロトコル〕を参照されたい）。以上の機能を実装することによって、無線通信状況が悪い状態でも、ユーザが頻繁な再接続を行わなくて済むようにして、ユーザの利便性の向上を可能としている。
【００３５】
〔４〕（請求項４に対応する構成）
前述した〔３〕（請求項３に対応する構成）において、事前にシステムに登録されている時間経過後、再びシステムに事前に登録された接続先に対して、ポイントツーポイントの無線通信の接続を自動的に実行する。再接続時間の間隔を表示ユニットでユーザが選択可能とする。
図１２にセットアップモードでのＯＳＤサンプルを示す。セットアップ（ＳＥＴＵＰ）の項目に「ＳＰＰ再接続間隔時間」という項目を追加し、「１０秒」〜「３０秒」のパラメータを選択できるようにする。このパラメータは、電源オフ時にシステムに格納され、電源オン時にシステムに自動的にロードされる。以上の機能を実装することによって、無線通信状況が悪い状態でも、ユーザが頻繁な再接続を行わないようにし、ユーザの利便性の向上を可能としている。
【００３６】
〔５〕（請求項５に対応する構成）
上述した〔１〕（請求項１に対応する構成）において、ＧＰＳ受信機器と撮像端末とのポイントツーポイントの無線通信が切断された場合、撮像端末で受信した最新のＧＰＳ情報をシステムに登録する。撮像端末のシステムがダウンしていない場合は、任意の時間が経過するまで、受信したＧＰＳ情報をリアルタイムに表示する。図１３に通信が切断された場合のＯＳＤ表示サンプルを示す。通信は切断中を表示しているが、ＧＰＳ情報はシステム内に保持されて、表示される。以上の機能を実装することによって、無線通信状況が悪い状態でも、ＧＰＳ情報を頻繁に喪失することがなく、ユーザの利便性の向上を可能としている。
【００３７】
〔６〕（請求項６に対応する構成）
前述した〔５〕（請求項５に対応する構成）において、事前にシステムに登録されている時間が経過するまで、受信したＧＰＳ情報をリアルタイムに表示する。表示ユニットにおいてＧＰＳ情報の保持時間をユーザが選択可能とする。図１４にセットアップモードでのＯＳＤサンプルを示す。セットアップ（ＳＥＴＵＰ）の項目に「ＧＰＳ情報保持時間」という項目を追加し、「１０秒」〜「３０秒」のパラメータを選択できるようにする。このパラメータは、電源オフ時にシステムに格納され、電源オン時にシステムに自動的にロードされる。以上の機能を実装することによって、無線通信状況が悪い状態でも、ＧＰＳ情報を頻繁に喪失することがなく、ユーザの利便性の向上を可能としている。
【００３８】
〔７〕（請求項７に対応する構成）
上述した〔１〕（請求項１に対応する構成）において、ＧＰＳ受信機器からのＧＰＳ情報から衛星の捕捉状態が判定できるような表示を行う。ＧＰＳ受信機器と、撮像端末の間でのポイントツーポイントの無線通信の接続状況と、電波強度の状態が判定できるような表示を行う（〔ＧＰＳ機能〕を参照されたい）。以上の機能を実装することによって、ＧＰＳ情報の捕捉状況と無線通信の電波状況とを瞬時に把握することが可能になり、ユーザの利便性の向上を可能としている。
【図面の簡単な説明】
【００３９】
【図１】本発明の通信情報転送方式の一つの実施の形態に係る撮像端末の一例としてのディジタルカメラの構成を模式的に示す上面図である。
【図２】図１のディジタルカメラを被写体側から見た正面図である。
【図３】図１のディジタルカメラを撮影者側から見た背面図である。
【図４】図１〜図３のディジタルカメラのシステムの概略構成を示すブロック図である。
【図５】本発明の通信情報転送方式の実施の形態に係る撮像端末の他の一例としてのＰＤＡの構成を模式的に示すブロック図である。
【図６】本発明の通信情報転送方式の実施の形態におけるＧＰＳ情報のＯＳＤ（オンスクリーンディスプレイ）サンプルを、（ａ）標準ディスプレイモードおよび（ｂ）ＧＰＳディスプレイモードについてそれぞれ示す模式図である。
【図７】本発明の通信情報転送方式の実施の形態における電波強度のＧＰＳ情報のＯＳＤサンプルを、ＧＰＳおよびブルートゥースディスプレイモードについてそれぞれ示す模式図である。
【図８】本発明の通信情報転送方式の実施の形態におけるプロトコルスタック構造を示す模式図である。
【図９】本発明の通信情報転送方式の実施の形態におけるＳＰＰ（シリアルポートプロファイル）プロトコルシーケンスを示す模式的なシーケンス図である。
【図１０】本発明の通信情報転送方式の実施の形態におけるＮＭＥＡデータフォーマットのサンプルを示す模式図である。
【図１１】本発明の通信情報転送方式の実施の形態におけるＳＰＰプロトコル再接続シーケンスを示す模式的なシーケンス図である。
【図１２】本発明の通信情報転送方式の実施の形態におけるセットアップモードでのＯＳＤサンプルを示す模式図である。
【図１３】本発明の通信情報転送方式の実施の形態における通信が切断された場合のＯＳＤ表示サンプルを示す模式図である。
【図１４】本発明の通信情報転送方式の実施の形態におけるセットアップモードでの他のＯＳＤサンプルを示す模式図である。
【符号の説明】
【００４０】
１  ディジタルカメラ
２  カメラボディ
３  鏡胴ユニット
４  ストロボ発光部
５  測距ユニット
６  光学ファインダ
７  リモコン（リモートコントロール）受光部
９  レリーズボタン
１０  モードダイヤル
１１  サブＬＣＤ（液晶表示部）
１３  ＬＣＤモニタ
１４  ＡＦ（オートフォーカス）−ＬＥＤ（発光ダイオード）
１５  ストロボＬＥＤ
１６  電源スイッチ
１７  操作ボタンユニット
１８  ズームボタン
１９  操作部
２１  外部拡張カード
２２  カードスロット
３０  ズームレンズ
３１  ズーム駆動モータ
３２  ズーム光学系
３３  フォーカスレンズ
３４  フォーカス駆動モータ
３５  フォーカス光学系
３６  絞り
３７  絞りモータ
３８  絞りユニット
３９  メカニカルシャッタ（メカシャッタ）
４０  メカシャッタモータ
４１  メカシャッタユニット
４２  モータドライバ
４５  ＣＣＤ（電荷結合素子）固体撮像素子
４６  Ｆ／Ｅ（フロントエンド）−ＩＣ（集積回路）
４７  ＣＤＳ（相関二重サンプリング）部
４８  ＡＧＣ（自動利得制御器）
４９  Ａ／Ｄ（アナログ−ディジタル）変換器
５０  ディジタルスチルカメラプロセッサ
５１  第１のＣＣＤ信号処理ブロック
５２  ＴＧ（Ｔｉｍｉｎｇ  Ｇｅｎｅｒａｔｏｒ〜タイミング発生器）
５３  第２のＣＣＤ信号処理ブロック
５４  ＣＰＵ（中央処理部）ブロック
５５  ローカルＳＲＡＭ（スタティックＲＡＭ）
５６  ＵＳＢブロック
５７  シリアルブロック
５８  ＪＰＥＧ−ＣＯＤＥＣブロック
５９  リサイズブロック
６０  ＴＶ（テレビジョン）信号表示ブロック
６１  カードコントローラブロック
６５  ＲＯＭ（リードオンリメモリ）
６６  ＲＡＭ（ランダムアクセスメモリ）
６７  ＳＤＲＡＭ（シンクロナスダイナミックＲＡＭ）
６８  内蔵メモリ
６９  ＬＣＤドライバ
７０  ビデオアンプ（ビデオ増幅器）
７１  ビデオジャック
７２  ＵＳＢ（Ｕｎｉｖｅｒｓａｌ  Ｓｅｒｉａｌ  Ｂｕｓ）コネクタ
７３  シリアルドライバ回路
７４  ＲＳ−２３２Ｃコネクタ
７５  サブＣＰＵ（中央処理部）
７６  ブザー
７７  サブＬＣＤドライバ
７９  マイク（マイクロフォン）
８０  マイクアンプ（マイク増幅器）
８１  音声記録回路
８３  スピーカ
８４  音声再生回路
８５  オーディオアンプ
８６  ブルートゥース回路
９１  ストロボ回路
１０２  ＣＰＵ
１０３  ＰＲＯＭ
１０４  ＲＡＭ
１０５  内臓メモリ
１０６  キー  Ｉ／Ｆ
１０７  ハードキー
１０８  カメラ制御部
１０９  カメラ部
１１０  画像制御部
１１１  ＬＣＤ部
１１２  画像伸張圧縮制御
１１３  ＵＳＢ  Ｉ／Ｆ制御部
１１４  ＵＳＢケーブル
１１５  ＣＦ制御部
１１６  ＣＦ  Ｉ／Ｆ
１１７  通信カード
１１８  ＳＤカード制御部
１１９  ＳＤカード  Ｉ／Ｆ
１２０  ＳＤカード
１２１  プリンタ
１２２  Ａ／Ｄ変換器
１２３  マイク
【図１】
2006279110.tif 000003
【図２】
2006279110.tif 000004
【図３】
2006279110.tif 000005
【図４】
2006279110.tif 000006
【図５】
2006279110.tif 000007
【図６】
2006279110.tif 000008
【図７】
2006279110.tif 000009
【図８】
2006279110.tif 000010
【図９】
2006279110.tif 000011
【図１０】
2006279110.tif 000012
【図１１】
2006279110.tif 000013
【図１３】
2006279110.tif 000014
【図１２】
2006279110.tif 000015
【図１４】
2006279110.tif 000016